(57)【要約】【課題】通信路の伝送速度の変更機能を有し、当該伝送速度の変更に応じたパケット待機制御を行うパケット伝送装置を提供する。【解決手段】本発明によるパケット伝送装置５１ａは、設定した伝送速度にてパケットを送信するパケット出力部５１４と、パケット出力部５１４から送信するパケットを一時的にバッファに保持し、当該パケットをバッファに格納する際に、パケット出力部５１４からの伝送速度の変更を監視してバッファに格納できるパケット数若しくはデータ量についての可変の上限を規定するバッファ閾値を制御するバッファ閾値制御部５１８を有するパケット待機制御部５１３ａと、を備える。【選択図】図１
2015170880.tif 000002
【特許請求の範囲】
【請求項１】
通信路の伝送速度の変更機能を有するパケット伝送装置であって、
設定した伝送速度にてパケットを送信するパケット出力部と、
前記パケット出力部から送信するパケットを一時的にバッファに保持し、当該パケットをバッファに格納する際に、前記パケット出力部からの伝送速度の変更を監視して前記バッファに格納できるパケット数若しくはデータ量についての可変の上限を規定するバッファ閾値を制御するバッファ閾値制御部を有するパケット待機制御部と、
を備えることを特徴とするパケット伝送装置。
【請求項２】
前記バッファ閾値制御部は、
前記パケット出力部からの伝送速度が変更前より低速に変更する際に、前記バッファ閾値を拡大し、変更前より高速に変更する際には、速度変更後から所定の規定時間以上経過して時点で、前記バッファ閾値を縮小することを特徴とする、請求項１に記載のパケット伝送装置。
【請求項３】
前記バッファ閾値制御部は、
前記パケット出力部からの伝送速度が変更前より低速に変更する際に、前記バッファ閾値を（変更前の速度−変更後の速度）×規定時間だけ拡大し、変更前より高速に変更する際には、速度変更後から所定の規定時間以上経過して時点で、前記バッファ閾値を（変更後の速度−変更前の速度）×規定時間だけ縮小することを特徴とする、請求項１又は２に記載のパケット伝送装置。
【請求項４】
前記規定時間は、当該パケット伝送装置に通信接続する送信端末と該送信端末からのパケットを受信する受信端末との間の往復遅延時間とすることを特徴とする、請求項１〜３のいずれか一項に記載のパケット伝送装置。
【請求項５】
前記規定時間は、当該パケット伝送装置と対向するパケット伝送装置との往復遅延時間に一定のマージンを加えた値とすることを特徴とする、請求項１〜３のいずれか一項に記載のパケット伝送装置。
【発明の詳細な説明】
【技術分野】
【０００１】
本発明は、伝送速度の切り替え可能な通信路を介して、ＩＰ（Internet protocol）パケットやイーサネット（登録商標）パケットなどのパケットを伝送するパケット伝送装置に関し、特に、伝搬状況の変化に応じて伝送速度を切り替える無線通信路などを用いて、通信路の伝送能力を活用して効率よくパケットを伝送するパケット伝送装置に関する。
【背景技術】
【０００２】
インターネットプロトコル（ＩＰ）を用いたデータ通信では、ＩＰパケットにデータを格納し、パケット伝送装置と通信路を経由してＩＰパケットを伝送することで、データを伝送する。図３に、離れた地点にある送信端末５０と受信端末５３が、パケット伝送装置５１及びパケット伝送装置５２と通信路１２及び通信路２１を介して、データ通信を行う場合のネットワークの概略構成例を示す。ここで、送信端末５０とパケット伝送装置５１との間は通信路０１及び通信路１０を介して相互接続され、受信端末５３とパケット伝送装置５２との間は、通信路２３及び通信路３２を介して相互接続されるものとする。
【０００３】
通信路１２の伝送能力を有効に活用して効率よくパケットを伝送するには、送信端末５０からパケット伝送装置５１に出力するパケットの出力速度を通信路１２の伝送速度の範囲内で、できるだけ高い速度に制御する必要がある。
【０００４】
ＩＰを用いたデータ通信を行う機器では、確実データを伝送するために、廃棄されたパケットで伝送したデータを回復したり、通信路の伝送速度に応じてパケットの出力速度を制御する機能（輻輳制御機能）を備えたデータ通信プロトコルを利用してデータ通信を行っている。これらの機器のデータ通信プロトコルには、ＴＣＰ（Transmission Control Protocol）が広く使われている。
【０００５】
まず、伝送速度が変化しない場合について、送信端末５０のパケットの出力速度が、ＴＣＰの輻輳制御機能により通信路１２の伝送速度の範囲内で、できるだけ高い速度に制御されることを説明する。
【０００６】
図４は、従来のパケット伝送装置の一例を示すブロック図である。図３におけるパケット伝送装置５１，５２はそれぞれ同様の構成とすることができ、代表的にパケット伝送装置５１を説明する。パケット伝送装置５１は、パケット入力部５１１，５１５、パケット転送部５１２、パケット待機制御部５１３，５１６、及びパケット出力部５１４，５１７で構成される。
【０００７】
パケット入力部５１１は、送信端末５０から出力されたパケットを通信路０１経由で受信し、パケット転送部５１２に入力する。パケット入力部５１５は、対向するパケット伝送装置５２から送信されたパケットを通信路２１経由で受信し、パケット転送部５１２に入力する。
【０００８】
パケット転送部５１２は、入力されたパケットの宛先を解析してパケットの出力先を判別し、判別したパケット出力部５１７と接続するパケット待機制御部５１６にパケットを入力する。したがって、パケット転送部５１２は、例えばハブ又はスイッチとして構成され、複数のパケット出力部５１７の各々と接続する複数のパケット待機制御部５１６に対して、パケットの出力先を決定するように構成することができる（図示せず）。
【０００９】
パケット待機制御部５１３及びパケット待機制御部５１６は、それぞれに入力されたパケットを一時的にバッファに保持する機能を有し、それぞれパケット出力部５１４及びパケット出力部５１７から送信するためのパケットを受け取り、それぞれのパケット出力部５１４,５１７が接続する通信路１２，１０から送信可能になるまで、当該パケットをそれぞれのバッファに一時的に保持する。
【００１０】
尚、パケット待機制御部５１３及びパケット待機制御部５１６は、パケットをバッファに格納する際に、バッファに格納できるパケット数若しくはデータ量が固定の上限（所定のバッファサイズ）に達しているか否かを判定し、このバッファサイズに達していればパケット格納不可と判定し、入力されたパケット若しくは格納中のパケットのいずれかを廃棄する。
【００１１】
パケット出力部５１４は、パケット待機制御部５１３からパケットを取り出し、設定した伝送速度にて通信路１２にパケットを送信する。パケット出力部５１７は、パケット待機制御部５１６からパケットを取り出し、通信路１０にパケットを送信する。
【００１２】
したがって、パケット伝送装置５１は、以前の送信したパケットの伝送のために通信路が使用中であるときや通信路を利用できないなどの理由により、パケットが入力されてもすぐに送信できない場合には、パケットの廃棄を防ぐため、当該パケットをパケット待機制御部５１３，５１６のバッファに格納し、通信路１２，１０へ送信可能になるまで保持する。しかし、従来のパケット伝送装置５１では、バッファが格納できるパケットの数やデータ量に固定の上限があり、この固定の上限（所定のバッファサイズ）を超えたときにはパケットを廃棄する。
【００１３】
次にＴＣＰの輻輳制御について説明する。ＴＣＰは、輻輳ウィンドウ（ｃｗｎｄ）を用いてパケットの出力速度の制御を可能とする技法として知られている（例えば、特許文献１参照）。
【００１４】
ＴＣＰに基づく受信端末５３は、送信端末５０から出力されたパケットが受信端末５３に入力され、正しく伝送されたことを確認できると、次に受け取るべきデータを参照する位置情報を確認応答（ＡＣＫ）情報として送信端末５０に送信する。送信端末５０は、データを一度に全部出力するのでなく、ＡＣＫ情報により指定された位置からｃｗｎｄまでの範囲のデータを出力するフロー制御を行う。この機構によりパケットの出力速度の最高速度は、輻輳ウィンドウ／往復遅延時間に制限される。尚、往復遅延時間（ＲＴＴ）とは、パケットを送信してから、そのパケットの確認応答パケットを受信するまでの時間である。
【００１５】
ＴＣＰの輻輳制御では、このｃｗｎｄの大きさを調整することで、通信路の伝送速度にパケットの送出速度を追従させる。ＴＣＰの輻輳制御方式には幾つかの方式があるが、パケットロスを検出するまでｃｗｎｄを徐々に拡大し、パケットロスを検出するとｃｗｎｄを急速に減少させるロスベースの輻輳制御技法が広く用いられている（例えば、特許文献１参照）。
【００１６】
代表的なロスベースの輻輳制御技法であるＴＣＰ Ｎｅｗ Ｒｅｎｏでは、ｃｗｎｄの増加量はＲＴＴあたり１パケットであり、減少量はｃｗｎｄの１／２となるように制御している。図５に、ＴＣＰ Ｎｅｗ Ｒｅｎｏにおけるｃｗｎｄの時間変化の例を示す。
【００１７】
この輻輳制御の機能により、送信端末５０のパケットの出力速度はｃｗｎｄの増加に応じて徐々に増加する。この出力速度が通信路１２の伝送速度を超えると、パケット伝送装置５１へと入力するパケット速度が、パケット伝送装置５１の送出するパケット速度を上回り、パケット待機制御部５１３におけるバッファのパケット蓄積量が増加するようになり、やがてパケット蓄積量が当該固定の上限（所定のバッファサイズ）に達しパケット廃棄が起こる。送信端末５０では、ＡＣＫ情報からパケットロスを検出するとｃｗｎｄを減少させ、パケット出力速度を減少させる。この繰り返しにより、送信端末５０のパケット出力速度が、ＴＣＰの輻輳制御機能により通信路の伝送速度の近傍に制御される。
【００１８】
このように、ＴＣＰの輻輳制御機能により、送信端末５０のパケットの出力速度が通信路１２の伝送速度の近傍に制御される。
【００１９】
ここで、従来のパケット伝送装置５１で通信路１２の伝送速度を切り変えた場合についても、輻輳制御機能により、自動的にデータ送信速度が調整される。
【００２０】
つまり、伝送速度を増加させると、最初は送信端末５０のパケットの出力速度よりパケット伝送装置５１の送出するパケット速度が上回り、パケット待機制御部５１３におけるバッファのパケット蓄積量が減少する。伝送速度の切り替え時のｃｗｎｄの値が小さく、パケット蓄積量が少ないときに当該切り替えが発生した場合には、バッファが枯渇し送信するパケットが無くなり、次のパケットがパケット伝送装置５１に入力されるまで通信路１２に空きを生じる。この通信路１２に空きを生じ、パケットの送信が間歇的になる現象は、ｃｗｎｄが徐々に拡大し、当該送出するパケット速度が増加し、新たな伝送速度に達し、継続的にパケットがバッファに蓄積されるようになるまで継続する。この現象が継続する間、パケットロスは発生しない。
【先行技術文献】
【特許文献】
【００２１】
【特許文献１】特開２００５−１５１２０２号公報
【発明の概要】
【発明が解決しようとする課題】
【００２２】
前述したように、従来のパケット伝送装置５１で通信路１２の伝送速度を切り変えた場合についても、輻輳制御機能により、自動的にデータ送信速度が調整されることになる。しかし、ｃｗｎｄの拡大はゆっくりと行われることから、伝送速度を速くしても、送信端末５０のパケットの出力速度がすぐには新たな伝送速度まで増加せず、通信路１２の空きを生ずる期間が長くなるという問題がある。したがって、従来のパケット伝送装置５１では、伝送速度が小さい時はｃｗｎｄの最大値が小さいため、この問題が発生し易い問題があった。
【００２３】
具体的には、ｃｗｎｄの拡大速度は、ＴＣＰ Ｎｅｗ Ｒｅｎｏでは、ＲＴＴ当たり１パケットのペースであり、新たな速度に到達するまでには、（速度増加量／パケットサイズ）×ＲＴＴの時間が必要である。例えば、ＲＴＴ １０ｍｓ、パケットサイズ１５００バイトの通信では１００Ｍｂｐｓ増加するまでには８３秒かかる。
【００２４】
逆に、伝送速度が減少すると、受信端末５３へのパケット入力間隔が長くなり、送信端末５０に伝送するＡＣＫ情報の出力間隔も長くなり、自動的に送信端末５０におけるパケットの出力速度が抑えられる。
【００２５】
しかし、送信端末５０へのＡＣＫ情報の間隔が変化するのは、伝送速度が低下してからＲＴＴ経過後である。この間、送信端末５０におけるパケットの出力速度は伝送速度変更前のままである。このため、パケット伝送装置５１の送信待ちパケットが急速に増加する。この結果、従来のパケット伝送装置５１では、パケット待機制御部５１３におけるバッファに格納できる上限を超える状態が継続し大量のパケットロスが発生する場合があった。
【００２６】
また、伝送速度を減少させてから送信端末５０のパケットの出力速度が抑制されるまでのパケットの超過は一時的なものである。このような一時的な通信量の増加に対しては、ネットワークの中間部で通信速度が低い隘路となる部分よりも前に（例えば、パケット待機制御部５１３に相当する箇所）、十分な量のバッファと精密に帯域を制御する回路を組み合わせた平滑化装置を設けることにより通信量を平滑化する技法が知られている（例えば、特許文献１参照）。しかしながら、通信路１２における伝送速度を減少してＲＴＴ時間経過するまで、或いはＲＴＴ時間経過した後の送信端末５０のパケットの出力速度は、送信端末５０のパケットの出力速度が抑制されるまでは当該伝送速度を減少した後の通信路１２の伝送速度以下にはならないことから、平滑化しても通信路１２の伝送速度以下にすることができないため、当該平滑化装置を追加しても、大量のパケットロスが発生する問題を解決することができない。
【００２７】
このように、従来のパケット伝送装置５１では、通信路１２の伝送速度を増加させても、ロスベースの輻輳制御技法を用いる送信端末５０のｃｗｎｄがすぐには増加しないことから、伝送速度の切り替え時のｃｗｎｄの値が小さい場合には、パケットの送信が間歇的に行われ通信路１２に空きが発生する状態が長く継続し、通信路１２を有効に活用できないという問題があった。
【００２８】
また、通信路１２の伝送速度を低下させたときに大量のパケットロスを起こすことがあった。大量のパケットロスは、他の通信に影響が波及し、リアルタイム通信でのデータ欠損や、欠損データの再送に伴うレスポンスの低下、通信速度の低下など大きな影響を与える問題があった。
【００２９】
そこで、本発明は上述の問題を鑑みて為されたものであり、本発明の目的は、通信路１２の伝送速度の増加時にも連続的なパケットの送信を可能とし、通信路１２の伝送速度の低下時にも大量のパケットロスの発生を抑制するために、通信路１２の伝送速度の変更機能を有し、当該伝送速度の変更に応じたパケット待機制御を行うパケット伝送装置を提供することにある。
【課題を解決するための手段】
【００３０】
本発明によるパケット伝送装置は、通信路の伝送速度の変更機能を有するパケット伝送装置であって、設定した伝送速度にてパケットを送信するパケット出力部と、前記パケット出力部から送信するパケットを一時的にバッファに保持し、当該パケットをバッファに格納する際に、前記パケット出力部からの伝送速度の変更を監視して前記バッファに格納できるパケット数若しくはデータ量についての可変の上限を規定するバッファ閾値を制御するバッファ閾値制御部を有するパケット待機制御部と、を備えることを特徴とする。
【００３１】
また、本発明によるパケット伝送装置において、前記バッファ閾値制御部は、前記パケット出力部からの伝送速度が変更前より低速に変更する際に、前記バッファ閾値を拡大し、変更前より高速に変更する際には、速度変更後から所定の規定時間以上経過して時点で、前記バッファ閾値を縮小することを特徴とする。
【００３２】
また、本発明によるパケット伝送装置において、前記バッファ閾値制御部は、前記パケット出力部からの伝送速度が変更前より低速に変更する際に、前記バッファ閾値を（変更前の速度−変更後の速度）×規定時間だけ拡大し、変更前より高速に変更する際には、速度変更後から所定の規定時間以上経過して時点で、前記バッファ閾値を（変更後の速度−変更前の速度）×規定時間だけ縮小することを特徴とする。
【００３３】
また、本発明によるパケット伝送装置において、前記規定時間は、当該パケット伝送装置に通信接続する送信端末と該送信端末からのパケットを受信する受信端末との間の往復遅延時間とすることを特徴とする。
【００３４】
また、本発明によるパケット伝送装置において、前記規定時間は、当該パケット伝送装置と対向するパケット伝送装置との往復遅延時間に一定のマージンを加えた値とすることを特徴とする。
【発明の効果】
【００３５】
本発明によれば、通信路の伝送速度を低下させても、ロスベースの輻輳制御を用いる送信端末のｃｗｎｄの最大値を高く維持することができ、通信路の伝送速度を低速から高速に切り替えたときに、パケットの送信が間歇的となることを防ぐことができ、通信路の伝送能力を有効に活用した効率のよいパケット伝送が実現可能となる。
【００３６】
また、通信路の伝送速度を低下させたときにバッファが溢れ、大量のパケットロスの発生を抑制又は防止することができる。この結果、大量のパケットロスによるリアルタイム通信でのデータ欠損や、欠損データの再送に伴うレスポンスの低下、通信速度の低下など他の通信への影響を防止し、通信路の伝送能力を有効に活用した効率のよいパケット伝送が実現可能となる。
【図面の簡単な説明】
【００３７】
【図１】本発明による一実施形態のパケット伝送装置のブロック図である。
【図２】本発明による一実施形態のパケット伝送装置におけるバッファ閾値制御のフローチャートである。
【図３】送信端末と受信端末が、パケット伝送装置及びパケット伝送装置を介して、データ通信を行う場合のネットワークの概略構成例を示す図である。
【図４】従来のパケット伝送装置の一例を示すブロック図である。
【図５】ＴＣＰ Ｎｅｗ Ｒｅｎｏにおける輻輳ウィンドウ（ｃｗｎｄ）の時間変化の例を示す図である。
【発明を実施するための形態】
【００３８】
以下、図面を参照して、本発明による一実施形態のパケット伝送装置について説明する。図１は、本発明による一実施形態のパケット伝送装置５１ａのブロック図である。
【００３９】
図３に示したように、離れた地点にある送信端末５０と受信端末５３が、パケット伝送装置５１及びパケット伝送装置５２と通信路１２及び通信路２１を介して、データ通信を行うネットワークを想定し、本発明に係るパケット伝送装置５１ａは、従来のパケット伝送装置５１の代わりに設けられるものとして説明する。尚、送信端末５０から受信端末５３の方向のパケットを伝送する通信路０１、通信路１２及び通信路２３の中で伝送速度が最も遅い通信路は通信路１２であるとする。また、各装置は、ＴＣＰを利用してデータ通信を行うものとする。
【００４０】
図１に示す本発明による一実施形態のパケット伝送装置５１ａは、図４に示す従来のパケット伝送装置５１と同様の構成要素には同一の参照番号を付している。即ち、本発明による一実施形態のパケット伝送装置５１ａは、パケット入力部５１１，５１５、パケット転送部５１２、パケット待機制御部５１３ａ，５１６、及びパケット出力部５１４，５１７で構成され、パケット待機制御部５１３ａがバッファ閾値制御部５１８を有する点で、従来のパケット伝送装置５１とは相違する。
【００４１】
パケット入力部５１１は、送信端末５０から出力されたパケットを通信路０１経由で受信し、パケット転送部５１２に入力する。パケット入力部５１５は、対向するパケット伝送装置５２から送信されたパケットを通信路２１経由で受信し、パケット転送部５１２に入力する。
【００４２】
パケット転送部５１２は、入力されたパケットの宛先を解析してパケットの出力先を判別し、判別したパケット出力部５１７と接続するパケット待機制御部５１６にパケットを入力する。したがって、パケット転送部５１２は、例えばハブ又はスイッチとして構成され、複数のパケット出力部５１７の各々と接続する複数のパケット待機制御部５１６に対して、パケットの出力先を決定するように構成することができる（図示せず）。
【００４３】
パケット待機制御部５１３ａ及びパケット待機制御部５１６は、それぞれに入力されたパケットを一時的にバッファに保持する機能を有し、それぞれパケット出力部５１４及びパケット出力部５１７から送信するためのパケットを受け取り、それぞれのパケット出力部５１４,５１７が接続する通信路１２，１０から送信可能になるまで、当該パケットをそれぞれのバッファに一時的に保持する。
【００４４】
ただし、パケット待機制御部５１３ａは、パケットをバッファに格納する際に、バッファに格納できるパケット数若しくはデータ量が可変の上限（以下、「バッファ閾値」と称する）に達しているか否かを判定し、このバッファ閾値に達していればパケット格納不可と判定し、入力されたパケット若しくは格納中のパケットのいずれかを廃棄する。
【００４５】
一方、パケット待機制御部５１６は、パケットをバッファに格納する際に、バッファに格納できるパケット数若しくはデータ量が固定の上限（所定のバッファサイズ）に達しているか否かを判定し、このバッファサイズに達していればパケット格納不可と判定し、入力されたパケット若しくは格納中のパケットのいずれかを廃棄する。
【００４６】
パケット出力部５１４は、パケット待機制御部５１３ａからパケットを取り出し、変更可能な設定した伝送速度にて通信路１２にパケットを送信する。パケット出力部５１７は、パケット待機制御部５１６からパケットを取り出し、通信路１０にパケットを送信する。
【００４７】
したがって、パケット伝送装置５１ａは、以前の送信したパケットの伝送のために通信路が使用中であるときや通信路を利用できないなどの理由により、パケットが入力されてもすぐに送信できない場合には、パケットの廃棄を防ぐため、当該パケットをパケット待機制御部５１３ａ，５１６のバッファに格納し、通信路１２，１０へ送信可能になるまで保持する。そして、本発明に係るパケット伝送装置５１ａは、パケット待機制御部５１３ａが有するバッファ閾値制御部５１８の機能により、バッファが格納できるパケットの数やデータ量に可変の上限（バッファ閾値）があり、このバッファ閾値を超えたときにはパケットを廃棄する。
【００４８】
以下、バッファ閾値制御部５１８について詳細に説明する。図２は、パケット伝送装置５１aにおけるバッファ閾値制御部５１８によるバッファ閾値制御のフローチャートである。
【００４９】
本発明のパケット伝送装置５１aでは、バッファ閾値制御部５１８により、パケット待機制御部５１３ａによる通信路１２の伝送速度の変更を監視しており（ステップＳ１）、パケット待機制御部５１３ａにて通信路１２の伝送速度を変更する際に、変更前より低速に変更する場合には（ステップＳ２：Ｙｅｓ）、パケット待機制御部５１３ａが有するバッファのバッファ閾値を（変更前の速度−変更後の速度）×規定時間（即ち、後述する予め定めた往復遅延時間）だけ増加する（ステップＳ３）。
【００５０】
逆に、パケット待機制御部５１３ａにて通信路１２の伝送速度を変更する際に、変更前より高速に変更する場合には（ステップＳ２：Ｎｏ）、速度変更後から規定時間（即ち、後述する予め定めた往復遅延時間）以上経過した時点で、パケット待機制御部５１３ａが有するバッファのバッファ閾値を（変更後の速度−変更前の速度）×規定時間だけ縮小する（ステップＳ４）。
【００５１】
「規定時間」は、実際にデータ通信を行う送信端末５０と受信端末５３との間の往復遅延時間とすることが一般化する上で望ましいが、通信路１２及び通信路２１の伝送遅延が、他の通信路の伝送遅延より極端に大きい場合には、パケット伝送装置５１ａとパケット伝送装置５２との間の往復遅延時間に一定のマージンを加えた値とすることで、より精密なバッファ閾値制御が可能となる。
【００５２】
このバッファ閾値制御部５１８の機能により、伝送速度を低下させてから送信端末５０のパケットの出力速度が低下するまでの間のパケットを全てバッファに格納することで、大量のパケットロスの発生を防止することができる。
【００５３】
また、バッファ閾値が同じ値であれば、伝送速度が低速であるほどｃｗｎｄの最大値が小さくなるが、低速時のバッファ閾値を増加することで、伝送速度を低下させた時のｃｗｎｄの最大値の減少を防ぎ、高速伝送時のｃｗｎｄを維持することができる。この効果により、通信路１２の伝送速度を低速から高速に切り替えたときに発生するｃｗｎｄの不足によりパケットの送信が間歇的となったとしても、これが長く続くことを防ぐことができる。
【００５４】
以上、特定の実施例を挙げて本発明を説明したが、本発明は前述の実施例に限定されるものではなく、その技術思想を逸脱しない範囲で種々変形可能である。例えば、パケット通信プロトコルの規定により、パケット転送の際にパケットヘッダなどパケットの一部を更新する必要があれば、パケット転送部５１２がこの処理を行うように構成することができる。
【００５５】
また、パケット入力部５１１で受信したパケットを必ずパケット出力部５１４からそのまま出力する、パケット入力部５１５で受信したパケットを必ずパケット出力部５１７からそのまま出力する用途では、パケット転送部５１２を持たない構成とすることができる。この場合は、パケット入力部５１１は受信したパケットをパケット待機制御部５１３ａに、パケット入力部５１５は受信したパケットをパケット待機制御部５１６に、それぞれ直接入力する。
【００５６】
更に、パケット入力部５１１、パケット待機制御部５１３ａ及びパケット出力部５１４で構成した送信側パケット伝送装置と、パケット入力部５１５、パケット待機制御部５１６及びパケット出力部５１７で構成した受信側パケット伝送装置の２つのパケット伝送装置により、ネットワークを構成してもよい。この構成では、伝送速度を変えられる通信路１２にパケットを送信する送信側パケット伝送装置が本発明の対象となり、受信側パケット伝送装置は従来のパケット伝送装置を用いてもよい。
【産業上の利用可能性】
【００５７】
本発明によれば、通信路の伝送能力を有効に活用した効率のよいパケット伝送が実現可能となるので、通信路の伝送速度の変更機能を有するパケット伝送装置の用途に有用である。
【符号の説明】
【００５８】
５０  送信端末
５１  従来のパケット伝送装置
５１ａ  本発明に係るパケット伝送装置
５２  従来のパケット伝送装置
５３  受信端末
５１１，５１５  パケット入力部
５１２  パケット転送部
５１３，５１３ａ，５１６  パケット待機制御部
５１４，５１７  パケット出力部
５１８  バッファ閾値制御部
【図１】
2015170880.tif 000003
【図２】
2015170880.tif 000004
【図３】
2015170880.tif 000005
【図４】
2015170880.tif 000006
【図５】
2015170880.tif 000007